(57)【要約】【課題】長時間にわたって連続使用しても手が疲れることなく、包皮開口部に多少痛さを感じる程度に効果的に包皮開口部を押し広げ続けることができ、亀頭や包皮を傷つける危険を解消できるようにする。【解決手段】二本の柄でなるグリップ（２Ｒ、２Ｌ）を握り込むと互いに離反する方向に動く一対のブレード（３Ｒ、３Ｌ）を包茎の包皮開口部に挿入してその包皮開口部を内側から押し広げる包茎矯正具において、前記各グリップ（２Ｒ、２Ｌ）を近接させる方向に作用する力に応じてそのグリップ（２Ｒ、２Ｌ）を近接自在に動かし、前記各グリップを離反させる方向に作用する力に対してそのグリップ（２Ｒ、２Ｌ）を離反不能に固定できるラチェット機構（６）を備えた。【選択図】図１
2004141188.tif 000002
【特許請求の範囲】
【請求項１】
二本の柄でなるグリップを握り込むと互いに離反する方向に動く一対のブレードを包茎の包皮開口部に挿入してその包皮開口部を内側から押し広げる包茎矯正具において、前記各グリップを近接させる方向に作用する力に応じてそのグリップを近接自在に動かし、前記各グリップを離反させる方向に作用する力に対してそのグリップを離反不能に固定できるラチェット機構を備えたことを特徴とする包茎矯正具。
【請求項２】
前記各グリップが夫々のブレードと一体に形成されて支点を中心に回動可能に支持されるペンチ型に形成され、前記ラチェット機構が、一方のグリップに形成されたツメと、他方のグリップに取り付けられたラックとを備え、該ラックはグリップ同士が離反する方向に動くときに前記ツメと咬み合うように成された請求項１記載の包茎矯正具。
【請求項３】
前記一方のグリップにはラック底面に当接されて出没する突起が突出方向に付勢されて設けられ、前記ラックの底面には、その長手方向に沿って突出状態の前記突起と係合されてラックとツメを非咬合状態に維持する案内溝と、前記突起を没入状態に維持してラックとツメを咬合状態に維持する摺動面が形成され、前記ラックの先端側には、グリップが開いたときに前記案内溝と係合していた突起を没入させて前記摺動面に移行させるテーパ面が形成された請求項２記載の包茎矯正具。
【請求項４】
前記各グリップが、バネ材を略Ｕ字状もしくはＶ字状に曲げた二本のレッグからなり、両レッグの先端部が互いに交差するように曲げられると同時に、その交差部より先の部分が互いに起立するように鉤型に曲げられて一対のブレードを形成し、前記ラチェット機構が、一方のグリップに回動可能に取り付けられたラックを備え、該ラックはグリップ同士が離反する方向に動くときに他方のグリップと咬み合うように成された請求項１記載の包茎矯正具。
【請求項５】
前記ブレードを包茎の包皮開口部に挿入したときに、包皮がブレードから脱落するのを防止する大径部がブレード先端に形成され、該大径部はその周面が曲面仕上げされると共に、ブレードを閉じたときにその先端に隙間を生ずる形状に形成された請求項１乃至４記載の包茎矯正具。
【発明の詳細な説明】
【０００１】
【発明の属する技術分野】
本発明は、包茎、特に、真性包茎を矯正するために使用する包茎矯正具の改良に関する。
【０００２】
【従来の技術】
ペニス全体が包皮で覆われて、勃起時にも亀頭が全く露出しない真性包茎は、余分な包皮を切除して包皮開口部を広げる整形外科手術によって矯正することができるが、その手術費が著しく高額な上、術後の通院費や薬代も嵩み、金銭面での負担が大きいという問題があった。
【０００３】また、包茎の手術に際しては、包皮を切りすぎたために、勃起時にその包皮が突っ張ったり、包皮の縫合箇所がケロイド状になるなど醜くなったり、あるいは包皮と共に性感帯の一部が切除されたり、性感伝達神経が傷つけられることにより射精不能になるなどのリスクを伴うことが知られている。
そして、術後は２週間ほどは痛みが続き、その間、包帯が取れないために入浴や放尿も困難になるという不自由な生活を包茎患者に強いるこになる。
さらに、包茎患者の中には、恥ずかしさのために手術を受けることができず、人知れず悩んでいる人も多い。
【０００４】包茎解説書「子供の包茎相談室」（非特許文献１参照）によれば、真性包茎は亀頭を包む包皮先端の包皮輪が小さいことが原因であり、「鉗子を用いて包皮輪を広げればその開口部から亀頭を露出させることができる」とされ、さらに、「専門医でなくても容易に取り扱うことのできる包茎矯正具が市販されることが望まれている」趣旨の記載がある。
【０００５】そこで本発明者は、包茎患者が自ら真性包茎を矯正することができる包茎矯正具を製作し、これを患者に試用したところ、毎日午前と午後の２回、それぞれ３０分間使用することにより、約２〜３週間で包皮輪が伸びてその開口部が広がり、亀頭が完全に露出するようになった（特許文献１参照）。
【０００６】
【非特許文献１】ｈｔｔｐ：／／ｗｗｗ．ａｍａｚｏｎ．ｃｏ．ｊｐ／ｅｘｅｃ／ｏｂｉｄｏｓ／ＡＳＩＮ／４７７３３５６３５９／ｍａｍａｎｏｗａｉｇａｙａ−２２／２４９−６９７１８０２−７８９１５６４
【特許文献１】登録実用新案第３０７８２５８号公報
【０００７】この包茎矯正具は、二本の柄でなるグリップをスプリングの弾撥力に抗して握り込むと、鉗子とは逆に、二つの顎が開いて両顎の先端に直角に設けた一対のブレードが互いに離反する方向に動くように構成されたペンチ状の器具で、その一対のブレードを真性包茎の包皮開口部に挿入してグリップを握り込むことにより、包皮輪を伸ばして包皮開口部を内側から押し広げるようになっている。
【０００８】
【発明が解決しようとする課題】
しかしながら、この矯正具を使用する場合、１回当り３０分もの長時間にわたってグリップを握り続けなければならず、しかも、毎日２回２〜３週間継続して使用する必要があるところ、グリップを握る手がだるくなったり疲れるため、そのうち億劫になってしまい、矯正の効果が表れる前に使用を中止してしまう場合があった。
【０００９】また、包皮輪に多少痛さを感じる程度に強く握り続けなければ矯正効果がないにもかかわらず、自分で使用する場合は、痛さを感じない程度にグリップを握る手の力をつい緩めてしまいやすく、このため、十分な矯正効果が上がらないという問題があった。
【００１０】さらに、グリップを強く握っていたときに、何かの拍子に手が滑ったりすると、ブレードに作用しているスプリングの弾撥力によりブレードが突発的に閉じ、亀頭や包皮内側を挟んで傷つけてしまうおそれがあった。特に、亀頭表皮は体表の中でも最も薄いため傷つきやすく、また、体表の中でも最も神経が集中している部分の一つであるため激痛を引き起こす。
【００１１】さらにまた、強く握って包皮輪を伸ばして開口部を押し広げているときに、その弾力で包皮がブレードからずれ落ちるように外れると、包皮とブレードが擦れて傷ついたり、裂けたりするおそれもある。
【００１２】そこで本発明は、長時間にわたって連続使用しても手がだるくなったり疲れることなく、多少痛さを感じる程度に効果的に包皮輪を伸ばして包皮開口部を押し広げることができ、さらに、亀頭や包皮を傷つける危険を解消することを技術的課題としている。
【００１３】
【課題を解決するための手段】
この課題を解決するために、本発明は、二本の柄でなるグリップを握り込むと互いに離反する方向に動く一対のブレードを包茎の包皮開口部に挿入してその包皮開口部を内側から押し広げる包茎矯正具において、前記各グリップを近接させる方向に作用する力に応じてそのグリップを近接自在に動かし、前記各グリップを離反させる方向に作用する力に対してそのグリップを離反不能に固定できるラチェット機構を備えたことを特徴とする。
【００１４】本発明によれば、一対のブレードを包茎の包皮開口部に挿入してグリップを握り込むと、そのブレードが離反する方向に動く。
すなわち、グリップを握り込んで近接する方向に動かすとラチェット機構によりグリップは近接自在に動くので、ブレードは離反する方向に動き、そのブレードにより包皮輪が伸ばされて包皮開口部が押し広げられる。
【００１５】そして、ブレードにより包皮開口部を大きく押し広げるたときに、包皮輪の弾力によりブレードを近接する方向に動かす力が作用し、これに伴い、グリップを離反する方向に動かす力が作用しても、ラチェット機構によりグリップが離反不能に固定される。
したがって、グリップを握り込む手の力を緩めてもブレードが閉じることがなく、グリップを握り続けなくても包皮輪が伸ばされて包皮開口部が大きく押し広げられたままの状態に維持される。
【００１６】さらに、ブレードの先端に、周面が曲面仕上げされた大径部を形成しておけば、包皮がブレードから脱落して擦れたり、また、包皮内側の一部にだけ力が集中して傷付けることがなく、したがって、長期間使用しても赤く擦り切れたり、ミミズばれになったりすることもない。
【００１７】
【発明の実施の形態】
以下、本発明の実施の形態を図面に基づいて具体的に説明する。
図１は本発明に係る包茎矯正具の一例を示す説明図、図２はブレード形状を示す説明図、図３はその開閉状態を示す説明図、図４は湾曲ラックを示す断面図、図５及び図６は他の実施形態を示す説明図である。
【００１８】本例の包茎矯正具１は、二本の柄でなるグリップ２Ｒ、２Ｌを握り込むと互いに離反する方向に動く一対のブレード３Ｒ、３Ｌを包茎の包皮開口部に挿入して包皮輪を伸ばし、その包皮開口部を内側から押し広げるペンチ状に形成されている。
各グリップ２Ｒ、２Ｌは、先端に夫々のブレード３Ｒ、３Ｌを直角に起立形成した顎４Ｒ、４Ｌと一体に形成されて、支点５を介して回動可能にジョイントされている。
この支点５には、グリップ２Ｒ、２Ｌを開く方向、すなわち、ブレード３Ｒ、３Ｌを閉じる方向に付勢するスプリング（図示せず）が内蔵されている。
【００１９】図２（ａ）は、包茎矯正具１を先端側から見たときの正面図、図２（ｂ）は顎の先端を示す平面図である。
ブレード３Ｒ、３Ｌの先端には、包茎の包皮開口部を押し広げるときに、包皮がブレード３Ｒ、３Ｌから脱落しないように包皮輪を引っ掛けておくボールフック（大径部）３ａが形成されている。
ボールフック３ａは、略球形に形成されており、ブレード３Ｒ、３Ｌを閉じたときでもその先端側及び前後両側に隙間３ｂ〜３ｄを生じ、亀頭や包皮内側を挟まないようになっている。
また、ブレード３Ｒ、３Ｌ及びボールフック３ａの周面は、滑らかな曲面に仕上られると共に、人体に害を及ぼさない金属によるメッキ処理が施され、または、樹脂被膜が形成され、包皮開口部に挿入して押し広げる際に、包皮に傷を付けないようになっている。
【００２０】グリップ２Ｒ、２Ｌには、これらグリップ２Ｒ、２Ｌを近接させる方向に作用する力に応じてそのグリップ２Ｒ、２Ｌを近接自在に動かし、前記各グリップ２Ｒ、２Ｌを離反させる方向に作用する力に対してそのグリップ２Ｒ、２Ｌを離反不能に固定できるラチェット機構６が設けられている。
【００２１】これにより、ブレード３Ｒ、３Ｌを包皮開口部に挿入して、グリップ２Ｒ及び２Ｌを握り込めば、該グリップ２Ｒ、２Ｌは近接する方向に動くのでラチェット機構６により回動自在となり、ブレード３Ｒ、３Ｌが離反する方向に動いて開く。これにより、包皮輪が伸ばされて包皮開口部が押し広げられる。
このとき、ブレード３Ｒ、３Ｌの開口間隔は、亀頭露出に必要な４〜５ｃｍ程度に選定されている。
【００２２】また、伸ばした包皮輪の弾力によりブレード３Ｒ、３Ｌを近接する方向（閉じる方向）に動かす力が作用すると、これに伴い、グリップ２Ｒ、２Ｌを離反する方向に動かす力が作用するので、ラチェット機構６によりグリップ２Ｒ、２Ｌが回動不能に固定され、したがってブレード３Ｒ、３Ｌが閉じることはない。
【００２３】このラチェット機構６は、一方のグリップ２Ｒに形成されたツメ７と、他方のグリップに取り付けられたラック８とを備え、該ラック８はグリップ２Ｒ、２Ｌ同士が離反する方向に動くときに前記ツメ７と咬み合うようになされている。
すなわち、この湾曲ラック８は、グリップ２Ｌにピン９で揺動可能に指示されると共に、スプリング１０により外周面側に付勢されて、その外周面にはグリップ２Ｒ及び２Ｌが開く方向（ブレード３Ｒ、３Ｌが閉じる方向）に回動するときにツメ７と咬み合う咬合歯１１が形成されている。
【００２４】また、前記一方のグリップ２Ｒには湾曲ラック８の底面に当接されて出没する突起１２が板バネ１３により突出方向に付勢されて設けられると共に、湾曲ラック８が揺動しても突起１２が常に湾曲ラック８の下に位置するようにその揺動角度を制限するストッパ１６が設けられている。
すなわち、湾曲ラック８の矢印Ｂ方向の揺動角はツメ７により制限され、反矢印Ｂ方向の揺動角はストッパ１６により制限される。
【００２５】そして、湾曲ラック８の底面には、その長手方向に沿って、突出状態の前記突起１２と係合されてラック８とツメ７を非咬合状態に維持する案内溝１４と、前記突起１２を没入状態に維持してラック８とツメ７を咬合状態に維持する摺動面１５が形成されている。
【００２６】そして、案内溝１４に突起１２が係合されているときは、ラック８が突起１２に引っ掛かるのでスプリング１０の付勢力に抗して、ラック８とツメ７は非咬合状態に維持される。
また、突起１２がグリップ２Ｒ内に没入すると、案内溝１４と突起１２の係合が解かれ、ラック８はスプリング１０の付勢力によりツメ７に当接して咬合状態に維持される。
なお、この突起１２は、ブレード３Ｒ、３Ｌの間隔に関わりなく、湾曲ラック８を揺動させることによりいつでも案内溝１４に係合させることができる位置に形成されている。
【００２７】そして、ラック８の先端側には、グリップ２Ｒ及び２Ｌが閉じたときに、案内溝１４と係合していた突起１２を没入させるテーパ面１４ａが形成されている。
これにより、グリップ２Ｒ、２Ｌが開いたとき（ブレード３Ｒ、３Ｌが閉じたとき）に、案内溝１４と突起１２の係合が解かれる。
【００２８】したがって、開いた状態のグリップ２Ｒ、２Ｌを握り込むときは、突起１２がラック８の摺動面１５によりグリップ２Ｒ内に没入されているので、ラチェット機構６のツメ７と湾曲ラック８を咬合させた状態でブレード３Ｒ、３Ｌを任意の間隔まで広げることができる。
また、これを閉じるときは、湾曲ラック８をスプリング１０の弾撥力に抗して揺動させれば、突起１２が案内溝１４に係合するので、湾曲ラック８とツメ７が非咬合状態に維持され、支点５に内蔵されたスプリング（図示せず）の弾撥力によりグリップ２Ｒ、２Ｌが開いてブレード３Ｒ、３Ｌが閉じる。
【００２９】以上が本発明の構成であって、次にその作用について説明する。
例えば、右手の平を上に向けて、その上に包茎矯正具１を図１に示す向きに載せ、グリップ２Ｒを右手母指丘に当てて、グリップ２Ｌに小指及び薬指を掛け、湾曲ラック８を容易に操作できるように親指先を自由にして持つ。
【００３０】そして、まず、図３（ａ）に示すように、閉じたブレード３Ｒ、３Ｌを包茎の包皮開口部に挿入し、先端のボールフック３ａに包皮輪を引っ掛けた状態で、矢印Ａ方向にグリップ２Ｒ、２Ｌを握り込んでいく。
このとき、ラチェット機構６により湾曲ラック８を矢印Ｂ方向に付勢してツメ７に咬合させたまま、グリップ２Ｒ、２Ｌを近接させる方向に動かすことができ、これに伴いブレード３Ｒ、３Ｌが矢印Ｃに示すように離反する方向に動くので、包皮輪が伸ばされて包皮開口部が押し広げられていく。
【００３１】そして、ある程度押し広げたところで手の力を緩めると、包皮輪の弾力によりブレード３Ｒ、３Ｌを閉じる方向に力が作用し、これに伴い、グリップ２Ｒ、２Ｌを離反させる方向に力が作用する。
このとき、湾曲ラック８とツメ７は咬合状態にあるので、図３（ｂ）に示すように、グリップ２Ｒ、２Ｌが回動不能に固定され、したがって、ブレード３Ｒ、３Ｌも固定され、手でグリップ２Ｒ、２Ｌを握りつづけなくても包皮輪が伸ばされて包皮開口部が押し広げられた状態に維持される。
すなわち、ラチェット機構６によりブレード３Ｒ、３Ｌを個人差に応じた最適な間隔で固定することができるので矯正効果が高い。
【００３２】また、包皮輪はボールフック３ａに引っ掛かっているので、押し広げられるときに包皮がブレード３Ｒ、３Ｌからずれ落ちることもない。また、ボールフック３ａは略球形に形成されているので、包皮内側の一部にだけ力が集中することがなく、したがって、長期間使用しても赤く擦り切れたり、ミミズばれになったりすることもない。
【００３３】そして、このまま３０分間放置した後、スプリング１０の弾撥力に抗して湾曲ラック８の先端を図３（ｂ）矢印Ｄ方向に親指で押し、湾曲ラック８の案内溝１４が突起１２の真上に位置するように揺動させれば、図３（ｃ）に示すように、湾曲ラック８とツメ７の咬み合いが解かれると共に、突起１２が突出して案内溝１４に係合する。
【００３４】したがって、湾曲ラック８とツメ７が非咬合状態に維持されて、支点５に内蔵されたスプリング（図示せず）により、グリップ２Ｒ、２Ｌが矢印Ｆに示すように離反する方向に回動して開くと共に、ブレード３Ｒ、３Ｌが図３（ｃ）矢印Ｅ方向にスムーズに近接する方向に回動して閉じる。
【００３５】なお、湾曲ラック８とツメ７の咬み合いが解かれた瞬間に、ブレード３Ｒ、３Ｌが突発的に閉じるようなことがあったとしても、包皮輪を引っ掛けているボールフック３ａは略球状に形成されているので、その先端及び前後両側に隙間３ｂ〜３ｄが形成されることとなり、したがって、亀頭表皮や包皮内面をボールフック３ａで挟んだり傷つけたりすることがない。
【００３６】そして、ブレード３Ｒ、３Ｌが完全に閉じると、突起１２が案内溝１４の先端側に形成されたテーパ面１４ａに案内されてグリップ２Ｒ内に没入される。
これにより、突起１２と案内溝１４との係合が解かれ、湾曲ラック８がスプリング１０の弾撥力によりツメ７と咬み合うと共に、突起１２は摺動面１５により没入された状態に維持される。
【００３７】したがって、次回矯正を行うときは、ブレード３Ｒ、３Ｌが完全に閉じ、且つ、ラチェット機構６のツメ７と湾曲ラック８が咬合状態にあるので、ラチェット機構６の方向切換など何らの操作をするまでもなく、そのまま使用することができる。
【００３８】そして、本発明にかかる包茎矯正具１を包茎患者に試用してみたところ、毎日午前と午後の２回、それぞれ３０分間程度使用することにより、手が疲れることがなく、多少痛さを感じる程度に効果的に包皮輪を伸ばして包皮開口部を押し広げることができ、約２〜３週間で亀頭が完全に露出した。
このように、外科的な手術を施すまでもなく、ペニスの成長に伴い亀頭が包皮輪を押し広げるという自然成長過程に極めて近い形で亀頭を露出させることができるので、手術による危険性や生活の不自由さなどの負担を患者に強いることもない。
【００３９】なお、本例では、支点５に内蔵されたスプリング（図示せず）とラチェット機構６により、ブレード３Ｒ、３Ｌを開閉する操作を極めてスムーズに且つ安全に行うことができるため、無理な力でグリップ２Ｒ、２Ｌを操作することにより勢余って亀頭を傷つけるような危険性も少ない。
また、包茎矯正具１にラチェット機構６を設けているからこそ、使用中に突発的にブレード３Ｒ、３Ｌが閉じることがなく、したがって、体表の中でも最も薄く傷つき易く、神経が集中している部分の一つである亀頭表皮を傷つけることがない。
さらに、ブレード３Ｒ、３Ｌの先端にボールフック３ａが形成されているので包皮が擦れて傷つくことがなく、さらに、ボールフック３ａ間に隙間３ｂ〜３ｄが形成されるのでそのボールフック３ａで亀頭を挟んで傷つけることもない。
【００４０】図５は本発明にかかる包茎矯正具の他の実施形態を示し、図１〜４と共通する部分については同一符号を付して詳細説明を省略する。
本例の包茎矯正具２１は、ラチェット機構６の湾曲ラック２２に長手方向に沿ってスリット２３が形成され、そのスリット２３内にツメ７と咬み合う咬合歯１１が形成されている。
【００４１】スリット２３は、湾曲ラック２２が遥動して咬合歯１１がツメ７に対して係脱できる程度の幅に形成され、湾曲ラック２２を矢印Ｇ方向に倒せば咬合歯１１とツメ７が咬み合ってグリップ２Ｒ、２Ｌが開く方向（ブレードが閉じる方向）には回動されず、湾曲ラック２２を矢印Ｈ方向に倒せば咬合歯１１とツメ７の咬み合いが解除されてグリップ２Ｒ、２Ｌ及びブレード３Ｒ、３Ｌは自在に回動できる。
【００４２】したがって、右手でグリップ２Ｒ、２Ｌを握ったときに親指で湾曲ラック２２の先端を矢印Ｇ及びＨ方向に操作することにより、咬合歯１１及びツメ７を係脱させることができる。
【００４３】なお、本例でも、湾曲ラック２２を揺動自在に支持するピン９に、湾曲ラック２２をツメ７と咬み合う方向に付勢するスプリング（図示せず）を設けておく方が好ましいが、このスプリングは必ずしも設けなければならないものではない。
【００４４】本例によれば、前述と同様に、右手の平を上に向けて、グリップ２Ｒを右手母指丘に当てて、グリップ２Ｌに小指及び薬指を掛け、湾曲ラック２２を自由に操作できるように親指先を自由にした状態で包茎矯正具１を持つ。
そして、閉じたブレード３Ｒ、３Ｌを包茎の包皮開口部に挿入し、先端のボールフック３ａに包皮輪を引っ掛けた状態で、矢印Ａに示すように、グリップ２Ｒ、２Ｌを握り込んでいく。
このとき、グリップ２Ｒ、２Ｌを近接させる方向に動かすことができ、これに伴いブレード３Ｒ、３Ｌが矢印Ｃに示すように離反する方向に動くので、包皮輪が伸ばされて包皮開口部が押し広げられていく。
【００４５】そして、ある程度押し広げたところで、親指で湾曲ラック２２を矢印Ｇ方向に揺動させてツメ７と咬み合わせれば、グリップ２Ｒ、２Ｌが回動不能に固定され、したがって、ブレード３Ｒ、３Ｌも固定され、手でグリップ２Ｒ、２Ｌを握りつづけなくても包皮輪が伸ばされて包皮開口部が押し広げられた状態に維持される。
すなわち、ラチェット機構６によりブレード３Ｒ、３Ｌを個人差に応じた最適な間隔で固定することができるので矯正効果が高い。
【００４６】そして、このまま３０分間放置した後、湾曲ラック２２の先端を矢印Ｈ方向に親指で押せば、湾曲ラック２２が揺動してツメ７との咬み合いが解かれるので、グリップ２Ｒ、２Ｌが反矢印Ａ方向に回動して離反すると共に、ブレード３Ｒ、３Ｌが反矢印Ｃ方向に回動して近接する。
【００４７】この場合も、ブレード３Ｒ、３Ｌの先端にボールフック３ａを形成しておけば、湾曲ラック２２とツメ７の咬み合いが解かれた瞬間に、ブレード３Ｒ、３Ｌが突発的に閉じるようなことがあったとしても、亀頭表皮や包皮内面をボールフック３ａで挟んだり傷つけたりすることもない。
【００４８】図６はさらに他の実施形態を示す。
本例の包茎矯正具３１は、各グリップ３２Ｒ、３２Ｌが、直径３〜４ｍｍのピアノ線（バネ材）を略Ｕ字状もしくはＶ字状に曲げた二本のレッグ３３Ｒ、３３Ｌからなり、両レッグ３３Ｒ、３３Ｌの先端部が互いに交差するように曲げられると同時に、その交差部より先の部分が互いに起立するように鉤型に曲げられて一対のブレード３４Ｒ、３４Ｌが形成されている。
【００４９】ブレード３４Ｒ、３４Ｌの先端には、包茎の包皮開口部を押し広げるときに、包皮がブレード３４Ｒ、３４Ｌのから脱落しないように包皮輪を引っ掛けておくボールフック（大径部）３５が形成されている。
【００５０】グリップ３２Ｒ、３２Ｌには、これらグリップ３２Ｒ、３２Ｌを近接させる方向に作用する力に応じてそのグリップ３２Ｒ、３２Ｌを近接自在に動かし、前記各グリップ３２Ｒ、３２Ｌを離反させる方向に作用する力に対してそのグリップ３２Ｒ、３２Ｌを離反不能に固定できるラチェット機構６が設けられている。
【００５１】このラチェット機構３６は、一方のグリップ３２Ｒに回動可能に取り付けられたラック３７を備え、該ラック３７にはグリップ３２Ｒ、３２Ｌが離反する方向に動くときに他方のグリップ３２Ｌと咬み合う咬合歯３８が形成されている。
【００５２】本例によれば、前述と同様に、右手の平を上に向けて、グリップ３２Ｒを右手母指丘に当てて、グリップ３２Ｌを小指及び薬指に掛け、ラック３７を自由に操作できるように人差指を自由にした状態で包茎矯正具３１を持つ。
そして、閉じたブレード３４Ｒ、３４Ｌを包茎の包皮開口部に挿入し、先端のボールフック３５に包皮輪を引っ掛けた状態で、矢印Ｊに示すように、グリップ３２Ｒ、３２Ｌを握り込んでいく。
このとき、グリップ３２Ｒ、４２Ｌを近接させる方向に動かすことができ、これに伴いブレード３４Ｒ、３４Ｌが矢印Ｋに示すように離反する方向に動くので、包皮輪が伸ばされて包皮開口部が押し広げられていく。
【００５３】そして、ある程度押し広げたところで、人差指でラック３７を矢印Ｍ方向に揺動させてグリップ３２Ｌと咬み合わせれば、グリップ３２Ｒ、３２Ｌが離反不能に固定されるので、グリップ３２Ｒ、３２Ｌを握る手の力を緩めてもブレード３４Ｒ、３４Ｌが閉じることがなく、包皮輪が伸ばされて包皮開口部が押し広げられた状態に維持される。
すなわち、ラチェット機構３６によりブレード３４Ｒ、３４Ｌを個人差に応じた最適な間隔で固定することができるので矯正効果が高い。
【００５４】そして、このまま３０分間放置した後、グリップ３２Ｒ、３２Ｌを矢印Ｊ方向に少し握り込めば、グリップ３２Ｌからラック３７の咬合歯３８に作用する力が緩むので、ラック３７が重力により反矢印Ｍ方向に回転して外れ、あるいは人差指で外すことにより、簡単にグリップ３２Ｌとの咬み合いを解くことができる。
これにより、グリップ３２Ｒ、３２Ｌが反矢印Ｊ方向に回動して離反すると共に、ブレード３４Ｒ、３４Ｌが反矢印Ｋ方向に近接して閉じる。
【００５５】この場合も、ブレード３４Ｒ、３４Ｌの先端にボールフック３５を形成しておけば、ラック３７とグリップ３２Ｌの咬み合いが解かれた瞬間に、ブレード３Ｒ、３Ｌが突発的に閉じるようなことがあったとしても、亀頭表皮や包皮内面をボールフック３５で挟んだり傷つけたりすることもない。
【００５６】なお、ラチェット機構６、３６としては上述の各実施形態の構造に限らず、任意の構造のものを採用することができる。
【００５７】
【発明の効果】
以上述べたように本発明によれば、グリップを握る手の力を緩めても、ラチェット機構によりブレードを開いた状態に維持できるので、長時間にわたって連続使用しても手がだるくなったり疲れることなく、多少痛さを感じる程度に効果的に包皮輪を伸ばして包皮開口部を押し広げることができ、また、亀頭や包皮を傷つける危険性がないという大変優れた効果を奏する。
【図面の簡単な説明】
【図１】本発明に係る包茎矯正具の一例を示す説明図。
【図２】ブレードの形状を示す説明図。
【図３】その開閉状態を示す説明図。
【図４】湾曲ラックを示す断面図。
【図５】他の実施形態を示す説明図。
【図６】他の実施形態を示す説明図。
【符号の説明】
１………包茎矯正具
２Ｒ、２Ｌ………グリップ
３Ｒ、３Ｌ………ブレード
３ａ……ボールフック（大径部）
５………支点
６………ラチェット機構
７………ツメ
８………湾曲ラック
１１………咬合歯
１２………突起
１４………案内溝
１４ａ……テーパ面
１５………摺動面
１６………ストッパ
【図１】
2004141188.tif 000003
【図２】
2004141188.tif 000004
【図３】
2004141188.tif 000005
【図４】
2004141188.tif 000006
【図５】
2004141188.tif 000007
【図６】
2004141188.tif 000008